(57)【要約】当該前壁および後壁の周縁部に沿い相互にシールされると共に頂端部および底端部を有する前壁および後壁を備えた使い捨て式オストミ用受容バッグであって、上記後壁の頂端部は取入開口を備え、当該使い捨て式オストミ用受容バッグは、該バッグの各表面の一方もしくは両方を覆う更なる薄寸材料製カバーを備え、上記各表面の少なくとも一方において上記薄寸カバーは、対応壁部の一部のみを覆う該カバーの一部であって上記前壁および後壁のシール周縁部上に重ね合わされた該周縁部の一部に沿ってのみ上記壁部に対して固定される該カバーの一部を画成する切断箇所を備える、使い捨て式オストミ用受容バッグ。この様に折畳むことにより上記バッグのサイズは減少されると共に、折畳まれた端部は上記薄寸カバーの下側に目立たない様に隠されて行動の自由が確実とされる。これによれば更に、トイレに行くことが困難でありもしくはそこへ行けないという状況にて大きな収集容量が急に必要とされても、上記薄寸カバーの下側から上記バッグの端部を引き出すだけでバッグの有効容量が容易に増大され得る。
2004528949.tif 000002
【特許請求の範囲】
【請求項１】
当該前壁および後壁の周縁部に沿い相互にシールされると共に頂端部および底端部を有する前壁および後壁を備えた使い捨て式オストミ用受容バッグであって、
上記後壁の頂端部は取入開口を備え、
当該受容バッグは、該バッグの各表面の一方もしくは両方を覆う更なる薄寸材料製カバーを備え、
上記各表面の少なくとも一方において上記薄寸カバーは、対応壁部の一部のみを覆う該カバーの一部であって上記前壁および後壁のシール周縁部上に重ね合わされた該周縁部の一部に沿ってのみ上記壁部に対して固定される該カバーの一部を画成する切断箇所を備える、
使い捨て式オストミ用受容バッグ。
【請求項２】
前記前壁の前記薄寸カバーは該前壁の最長寸法に対して直交するラインに沿い切断される、請求項１記載の受容バッグ。
【請求項３】
前記前壁の前記薄寸カバーは該前壁の前記頂端部に重ね合わさることでポケットを形成する、請求項１もしくは２に記載の受容バッグ。
【請求項４】
前記前壁の前記薄寸カバーの長さは該前壁の最長寸法の25乃至100％である、請求項１乃至３のいずれか一項に記載の受容バッグ。
【請求項５】
前記前壁の前記薄寸カバーの長さは該前壁の最長寸法の50乃至75％である、請求項４に記載の受容バッグ。
【請求項６】
前記底端部は折り畳まれて前記前壁の前記薄寸カバーの下側に延伸する、請求項１乃至５のいずれか一項に記載の受容バッグ。
【請求項７】
前記頂端部に対して逆側となる前記バッグの端部は該底端部から延在する材料細片を備える、請求項１乃至６のいずれか一項に記載の受容バッグ。
【請求項８】
前記細片が当該袋体に固定される領域において該細片の極限強さは当該袋体の前記周縁部の接合の裂開強度より低い、請求項１乃至７のいずれか一項に記載の受容バッグ。
【請求項９】
前記細片の長さは、当該バッグの折畳み状態において該バッグの前記底端部から前記薄寸カバーの切断ラインまでの距離より長寸である、請求項７または８に記載の受容バッグ。
【請求項１０】
前記薄寸カバーは孔質材料製である、請求項１乃至９のいずれか一項に記載の受容バッグ。
【発明の詳細な説明】
【技術分野】
【０００１】
本発明は、腹部ストーマ(abdominal stoma)から出現する流体もしくは排出物を収集すべく、患者の腹部に対し、または、身体側オストミ部材(body side ostomy member)に対して固定される収集バッグに関する。
【背景技術】
【０００２】
胃腸管もしくは尿路における多くの疾患に対する外科処置に関し、多くの場合における結果は、結腸、回腸もしくは尿管が外科的に露出されると共に患者に対しては腹部ストーマが残置され、或いは、腎造瘻術もしくは尿管造瘻術においては背部または胸部領域もしくは腹部領域において尿管もしくはカテーテルが露出されると共に、これらの器官を介して搬送される身体からの流出物もしくは老廃物は、人工的なオリフィスもしくは開口を介して放出され、かつ、通常はストーマ／尿管／カテーテルに適応する取入開口を有する粘着性薄板(wafer)またはプレートにより皮膚に接着された収集バッグ内に収集される。フィステル(fistula)に関しても同様に、患者は斯かる開口から出現する身体物質を収集すべく器具に頼らねばならない。
【０００３】
オストミ器具(ostomy appliances)は公知である。斯かる器具は、二部材式もしくは単一部材式の器具とされ得る。両方の形式の器具において、装着者の腹部／背部／胸部に対しては接着性隔壁部材(もしくはベースプレート)が取付けられる。単一部材式器具の場合、上記ベースプレートに対しては受容部材もしくはバッグが取付けられる。而して二部材式器具の場合には、上記接着性隔壁部材は身体側部材の一部を形成すると共に、身体側オストミ部材に対してはストーマからの浸出物を受容すべく受容部材もしくはバッグが着脱自在に取付けられる。
【０００４】
単一部材式器具を用いる場合、該器具を皮膚に固定する皮膚用接着性隔壁を含む器具全体が取り外されて新たな器具と交換されるのが通常である。また二部材式器具を用いる場合には、身体側オストミ部材は数日に亙り所定位置に残置されると共に、該身体側部材に取付けられた受容部材もしくはバッグのみが交換される。オストミ用受容バッグ(ostomy receiving bag)を取付ける取付手段は、それ自体が公知のシステムであって、整合連結リング(matching coupling rings)もしくは整合フランジ(matching flanges)と、身体側部材のフランジ領域に対し係合してシールを行う接着表面とを備えたシステムとされ得る。
【０００５】
オストミ用受容バッグとしては、収集容量に対する各ユーザの異なる要件、すなわち実際の状況および食生活に起因する各ユーザ間の相違と個々のユーザに対する要件との両方を考慮した種々のサイズが入手可能である。種々のサイズによれば、ユーザはたとえば外出したり一般的な会合に出席する場合などには行動の自由(discretion)のため小寸のバッグもしくはキャップも使用し得る。
【０００６】
しかし、ストーマからの浸出物の分泌作用は意のままに調整され得ないことから、更に目立たない収集バッグでは実際のサイズが十分でない状況も多発し、ユーザが相当に困惑することもある。
【０００７】
故に、それほど目立たない収集バッグであるが、収集デバイスの大きな容量に対する緊急の必要性に対する解決策も提供する収集バッグに対する要望が在る。
【発明の開示】
【０００８】
本発明は、当該前壁および後壁の周縁部に沿い相互にシールされると共に頂端部および底端部を有する前壁および後壁を備えた使い捨て式オストミ用受容バッグであって、上記後壁の頂端部は取入開口を備え、当該受容バッグは、該バッグの各表面の一方もしくは両方を覆う更なる薄寸材料(sheet material)製カバーを備える、使い捨て式オストミ用受容バッグに関する。
【０００９】
本発明は、図面を参照して更に詳細に開示される。
【発明を実施するための最良の形態】
【００１０】
本発明の詳細な説明
本発明は、当該前壁および後壁の周縁部に沿い相互にシールされると共に頂端部および底端部を有する前壁および後壁を備えた使い捨て式オストミ用受容バッグであって、上記後壁の頂端部は取入開口を備え、当該受容バッグは、該バッグの各表面の一方もしくは両方を覆う更なる薄寸材料製カバーを備え、上記各表面の少なくとも一方において上記薄寸カバー(cover sheet)は、対応壁部の一部のみを覆う該カバーの一部であって上記前壁および後壁のシール周縁部上に重ね合わされた該周縁部の一部に沿ってのみ上記壁部に対して固定される該カバーの一部を画成する切断箇所を備える、使い捨て式オストミ用受容バッグに関する。
【００１１】
故に本発明は、流体もしくは排出物を収集すべく、患者の腹部に対し、または、身体側オストミ部材に対して固定されるべき収集バッグに関する。
【００１２】
切断された薄寸カバーが対応表面を部分的にのみ覆うという本発明の一実施例は、バッグを折畳むと共に折畳まれた部分を上記薄寸カバーの下側に載置するという選択肢を提供する。この様に折畳むことにより上記バッグのサイズは減少されると共に、折畳まれた端部は上記薄寸カバーの下側に目立たない様に隠されて行動の自由が確実とされる。これによれば更に、トイレ(rest room)に行くことが困難でありもしくはそこへ行けないという状況にて大きな収集容量が急に必要とされても、上記薄寸カバーの下側から上記バッグの端部を引き出すだけでバッグの有効容量が容易に増大され得る。
【００１３】
上記前壁の上記薄寸カバーが該前壁の最長寸法に対して直交するラインに沿い切断された場合、上記バッグの端部は上記薄寸カバーの背後に対して容易に挿入され且つ引き出される。
【００１４】
上記前壁の上記頂端部に重ね合わさる該前壁の上記薄寸カバーはポケット(pocket)を形成することで該薄寸カバーの頂部の折畳みを生じさせないことが好適である。
【００１５】
上記前壁の上記薄寸カバーの長さは該前壁の最長寸法の25乃至100％であれば上記バッグの容量の一時的縮小は依然として相当なものとされ得ると共に素材の使用量は減少されて適切なことが分かった。故に、上記薄寸カバーは上記前壁の一部を覆う帯片の形態であり得ることが予期される。
【００１６】
上記前壁の上記薄寸カバーの切断箇所は該前壁の最長寸法の50乃至75％の長さのところに位置されるのが好適である。
【００１７】
本発明の別実施例において、切断された上記薄寸カバーは対応壁部の表面の全てを覆うと共に、上記前壁および後壁のシール周縁部に重ね合わされた該周縁部の一部に沿って上記壁部に対して固定されることで、上記バッグの端部を各々が覆う２個のポケット(pocket)を画成する間隙(slit)が残置される。
【００１８】
本発明に係る受容バッグは、上記底端部が折畳まれて上記前壁の薄寸カバーの下側に延伸するという形態で提供され得ることが予期される。
【００１９】
本発明の更なる好適実施例において、上記頂端部に対して逆側となる上記バッグの端部は底端部から延在する材料細片を備えることから、上記バッグの折畳み端部を把持して上記薄寸カバーの背後から引き出すのが更に容易とされる。
【００２０】
上記細片の長さは、当該バッグの折畳み状態において該バッグの上記底端部から上記薄寸カバーの切断ラインまでの距離より長寸であることが特に好適である、と言うのも、その場合に上記細片の端部は上記薄寸カバーの背後から突出するので把持が更に容易となるからである。
【００２１】
更に、展開状態において上記袋体の下側から延伸する上記細片による一切の不快さを減少するには、当然ながらバッグの拡開もしくは展開の後で漏出に帰着し得る該袋体の接合損傷のリスクなしでたとえば上記細片が裂開され得る如く容易に除去され得る様式で該細片を固定するのが好適である。故に、上記細片が当該袋体に固定される領域において該細片の極限強さ(ultimate strength)は当該袋体の上記周縁部の接合の裂開強度より低ければ好適である。
【００２２】
これは、上記袋体の上記周縁部の接合よりも脆弱であり且つ上記細片自体の極限強さよりも脆弱である接合を用いて上記バッグの上記周縁部に対して上記細片を固定することで達成され得る。代替的に、上記細片が上記袋体に対して固定される領域において上記極限強さが上記袋体の上記周縁部の接合の裂開強度よりも低いことを確実にするために、上記細片はこの領域の近傍において一個以上の刻み目もしくはミシン目を備え得る。上記細片は、上記薄寸カバーと適合性がある任意の適切な材料であって上記要件を満足する任意の適切な材料とされ得る。
【００２３】
上記薄寸カバーは孔質材料製ならば好適である、と言うのも、斯かる材料は上記バッグからのノイズを減少すると共に該バッグにより覆われた皮膚の“呼吸”を増進し得るからである。
【００２４】
本発明に係る上記オストミ用受容バッグはオストミ用身体側部材(二部材式器具)と共に使用可能とされてもよく、その場合に上記受容バッグは上記オストミ用身体側部材上に載置された整合連結手段に対して着脱自在に固定される連結手段を備え、且つ、上記取入開口はストーマを受容するオストミ用身体側部材の孔と整列されるようになっている。
【００２５】
本発明に係る上記オストミ用受容バッグは代替策として直接的な使用(単一部材式器具)に対して適合され得るが、その場合に該バッグはユーザの皮膚に対して該受容バッグを固定するための接着用薄板を備え、該バッグおよび薄板はストーマを受容する取入開口を有する。
【００２６】
上記周縁部に沿い相互にシールされると共に取入開口を備えた前壁および後壁を備えた上記受容バッグ自体は、オストミ器具の作製のために従来的に用いられる材料と同様にして斯かる材料から作成され得る。
【００２７】
本発明に係るオストミ用受容バッグと共に用いられるオストミ用身体側部材は、オストミ用、創傷用および失禁用の使い捨てデバイスの作製のために通常的に用いられる標準材料から製造され得る。
【００２８】
故に、本発明に係る身体側部材に対する接着用薄板もしくは本発明の単一部材式オストミ器具バッグの接着用薄板は、たとえば米国特許第4,367,732号、第5,051,259号もしくは第5,714,225号に開示された組成のような公知の医療等級の隔壁用接着剤(medical grade barrier adhesives)から作成され得る。また本発明に係る二部材式オストミ器具に対し、身体側部材および上記受容バッグは整合連結手段を備える。
【００２９】
本発明に関して用いられる連結手段は、たとえば国際公開公報第93/18725号(WO 93/18725)もしくは国際公開公報第94/18919号(ＷＯ 94/18919)に開示された連結リングなどの整合連結リングまたは米国特許第5,800,415号に開示された形式の接着接合用整合フランジなどの機械的継手などの様に、オストミ用ベースプレートをオストミ用収集バッグに連結する自身公知の任意の適切な連結手段とされ得る。
【００３０】
本発明の目的に対してカバーとして用いられる適切な孔質材料は、耐湿性の織成薄寸材料もしくは不織薄寸材料であって、ポリエチレン、ポリプロピレンもしくはポリエステルの不織材料などのオストミ器具の製造に従来的に用いられる材料に対して接合され得る織成薄寸材料もしくは不織薄寸材料である。
【００３１】
好適実施例の説明
以下においては、本発明の好適実施例を示す図面を参照して本発明を更に詳細に説明する。
【００３２】
図面中で図１には、当該前壁および後壁の周縁部(4)に沿い相互にシールされると共に頂端部(A)および底端部を有する前壁および後壁(3)を備えた本発明に係る使い捨て式オストミ用受容バッグ(1)の実施例が示されており、上記後壁の上記頂端部は(不図示の)取入開口を備え、当該受容バッグはその一方のもしくは両方の表面を覆う更なる薄寸材料製カバー(5)を備え、上記各表面の少なくとも一方において上記薄寸カバーは対応壁部の一部のみを覆い且つ該薄寸カバーは上記前壁および後壁のシール周縁部上に重ね合わされた該周縁部(4)の一部に沿ってのみ上記壁に対して固定される。底端部(B)は、点線で示された如く折り畳まれて上記前壁の薄寸カバー(5)の下側に延伸し、且つ、該底端部から延在する薄寸材料の細片(6)を備えている。
【００３３】
図２は図１の実施例のＩ−Ｉ線に沿う断面図であって当該前壁(2)および後壁(3)の周縁部(4)に沿って相互にシールされ且つ頂端部(A)および底端部(B)を有する前壁(2)および後壁(3)を示しており、上記後壁の頂端部は取入開口(7)を備え、上記受容バッグはその両面の一方もしくは両方を覆う更なる薄寸材料製カバー(5)を備え、上記各表面の少なくとも一方において上記薄寸カバーは対応壁部の一部のみを覆い且つ該薄寸カバーは上記前壁および後壁のシール周縁部上に重ね合わされた該周縁部(4)の一部に沿ってのみ上記壁に対して固定される。底端部(B)は、折り畳まれて上記前壁の薄寸カバー(5)の下側に延伸し、且つ、該底端部から延在する薄寸材料の細片(6)を備えている。更に、オストミ用受容バッグ(1)は該バッグをオストメイト(ostomate)の皮膚に対しまたは身体側部材に対して固定するための接着用薄板(8)を備える。
【００３４】
図３は本発明に係るオストミ用受容バッグの更なる実施例を示しており、前壁(2)の薄寸カバーは、該前壁の最長寸法の25〜80％の長さに切断されると共に該前壁の一部を覆う帯片(9)の形態である。底端部(B)は折り畳まれて前壁(2)の薄寸カバー(9)の下側に延伸すると共に、薄寸材料の細片(6)の端部は上記薄寸カバーの上下にて視認可能である。
【００３５】
図４はユーザから離間する方の表面から見た図１の実施例を展開状態で示すものであり、前壁(2)と、薄寸カバー(5)と、上記底端部から延在する細片(6)とを示すと共に背壁上に載置された接着用薄板を示している。
【図面の簡単な説明】
【００３６】
【図１】図１は、本発明に係るオストミ用受容バッグの実施例を示す図である。
【図２】図２は、図１の実施例のＩ−Ｉ線に沿う断面図である。
【図３】図３は、本発明に係るオストミ用受容バッグの更なる実施例を示す図である。
【図４】図４は、ユーザから離間する方の表面から見た展開状態における図１の実施例を示す図である。
【国際公開パンフレット】
2004528949.tif 000003
2004528949.tif 000004
2004528949.tif 000005
2004528949.tif 000006
2004528949.tif 000007
2004528949.tif 000008
2004528949.tif 000009
2004528949.tif 000010
2004528949.tif 000011
2004528949.tif 000012
2004528949.tif 000013
2004528949.tif 000014
2004528949.tif 000015
2004528949.tif 000016
2004528949.tif 000017
【手続補正書】
【提出日】平成15年6月26日(2003.6.26)
【手続補正１】
【補正対象書類名】特許請求の範囲
【補正対象項目名】全文
【補正方法】変更
【補正の内容】
【特許請求の範囲】
【請求項１】
当該前壁および後壁の周縁部(4)に沿い相互にシールされると共に頂端部(A)および底端部(B)を有する前壁(2)および後壁(3)を備えた使い捨て式オストミ用受容バッグであって、
上記後壁の頂端部は取入開口(7)を備え、
当該受容バッグは、該バッグの各表面の少なくとも一方を覆う更なる薄寸材料製カバー(5、9)を備え、
上記薄寸カバーは、対応壁部の一部のみを覆う該カバーの一部であって上記前壁および後壁のシール周縁部上に重ね合わされた該周縁部の一部に沿ってのみ上記壁部に対して固定される該カバーの一部を画成する切断箇所を備える使い捨て式オストミ用受容バッグにおいて、
該バッグの上記底端部(B)は折り畳まれて上記薄寸カバー(5、9)の下側に延伸することを特徴とする、使い捨て式オストミ用受容バッグ。
【請求項２】
前記薄寸カバーは前記前壁(2)を覆う、請求項１記載の受容バッグ。
【請求項３】
前記薄寸カバー(5,9)は前記対応壁部の最長寸法に対して直交するラインに沿い切断される、請求項１もしくは２に記載の受容バッグ。
【請求項４】
前記前壁(2)の前記薄寸カバーは該前壁(2)の前記頂端部(A)に重ね合わさることでポケットを形成する、請求項１乃至３の何れか一項に記載の受容バッグ。
【請求項５】
前記前壁(2)の前記薄寸カバーの長さは該前壁の最長寸法の25乃至100％である、請求項１乃至４のいずれか一項に記載の受容バッグ。
【請求項６】
前記前壁(2)の前記薄寸カバーの長さは該前壁の最長寸法の50乃至75％である、請求項５に記載の受容バッグ。
【請求項７】
前記頂端部に対して逆側となる前記バッグの端部(B)は該底端部から延在する材料細片(6)を備える、請求項１乃至６のいずれか一項に記載の受容バッグ。
【請求項８】
前記細片が当該袋体に固定される領域において該細片(6)の極限強さは当該袋体の前記周縁部の接合の裂開強度より低い、請求項１乃至７のいずれか一項に記載の受容バッグ。
【請求項９】
前記細片(6)の長さは、当該バッグの折畳み状態において該バッグの前記底端部(B)から前記薄寸カバー(5,9)の切断ラインまでの距離より長寸である、請求項７または８に記載の受容バッグ。
【請求項１０】
前記薄寸カバー(5,9)は孔質材料製である、請求項１乃至９のいずれか一項に記載の受容バッグ。
【手続補正２】
【補正対象書類名】明細書
【補正対象項目名】０００７
【補正方法】変更
【補正の内容】
【０００７】
故に、それほど目立たない収集バッグであるが、収集デバイスの大きな容量に対する緊急の必要性に対する解決策も提供する収集バッグに対する要望が在る。
GB 2 247 172号公報は、当該前壁および後壁の周縁部に沿い相互にシールされると共に頂端部および底端部を有する前壁および後壁を備えた使い捨て式オストミ用受容バッグであって、上記後壁の頂端部は取入開口を備え、当該受容バッグの上記後壁は該後壁の下側周縁部にて終端する更なる薄寸材料製カバーを備えた使い捨て式オストミ用受容バッグを開示している。
GB 2 094 153号公報は、当該前壁および後壁の周縁部に沿い相互にシールされると共に頂端部および底端部を有する前壁および後壁を備えた使い捨て式オストミ用受容バッグであって、上記後壁の頂端部は取入開口を備え、当該受容バッグの上記後壁は該後壁の下側部分に固定された更なる薄寸材料製カバーを備えた使い捨て式オストミ用受容バッグを開示している。
これらの公報はいずれも、小寸で個別的とされ得ると同時に必要ならば更に大きな容量を与えるための選択肢も提供する、というオストミ用受容バッグの問題に対する解決策を開示もしくは示唆していない。


【手続補正３】
【補正対象書類名】明細書
【補正対象項目名】００１０
【補正方法】変更
【補正の内容】
【００１０】
本発明の詳細な説明
本発明は、当該前壁および後壁の周縁部に沿い相互にシールされると共に頂端部および底端部を有する前壁および後壁を備えた使い捨て式オストミ用受容バッグであって、上記後壁の頂端部は取入開口を備え、当該受容バッグは、該バッグの各表面の少なくとも一方を覆う更なる薄寸材料製カバーを備え、上記薄寸カバーは、対応壁部の一部のみを覆う該カバーの一部であって上記前壁および後壁のシール周縁部上に重ね合わされた該周縁部の一部に沿ってのみ上記壁部に対して固定される該カバーの一部を画成する切断箇所を備える使い捨て式オストミ用受容バッグにおいて、該バッグの上記底端部は折り畳まれて上記薄寸カバーの下側に延伸することを特徴とする使い捨て式オストミ用受容バッグに関する。


【手続補正４】
【補正対象書類名】明細書
【補正対象項目名】００１３
【補正方法】変更
【補正の内容】
【００１３】
上記前壁の上記薄寸カバーが該前壁の最長寸法に対して直交するラインに沿い切断された場合、上記バッグの端部は上記薄寸カバーの背後に対して容易に挿入され且つ引き出される。
好適実施例では、上記薄寸カバーは上記前壁を覆う。


【手続補正５】
【補正対象書類名】明細書
【補正対象項目名】００１８
【補正方法】削除
【補正の内容】
【手続補正６】
【補正対象書類名】明細書
【補正対象項目名】００２７
【補正方法】変更
【補正の内容】
【００２７】
更に、展開状態において上記袋体の下側から延伸する上記細片による一切の不快さを減少するには、当然ながらバッグの拡開もしくは展開の後で漏出に帰着し得る該袋体の接合損傷のリスクなしでたとえば上記細片が裂開され得る如く容易に除去され得る様式で該細片を固定するのが好適である。故に、上記細片が当該袋体に固定される領域において該細片の極限強さ(ultimate strength)は当該袋体の上記周縁部の接合の裂開強度より低ければ好適である。
これは、上記袋体の上記周縁部の接合よりも脆弱であり且つ上記細片自体の極限強さよりも脆弱である接合を用いて上記バッグの上記周縁部に対して上記細片を固定することで達成され得る。代替的に、上記細片が上記袋体に対して固定される領域において上記極限強さが上記袋体の上記周縁部の接合の裂開強度よりも低いことを確実にするために、上記細片はこの領域の近傍において一個以上の刻み目もしくはミシン目を備え得る。上記細片は、上記薄寸カバーと適合性がある任意の適切な材料であって上記要件を満足する任意の適切な材料とされ得る。
上記薄寸カバーは孔質材料製ならば好適である、と言うのも、斯かる材料は上記バッグからのノイズを減少すると共に該バッグにより覆われた皮膚の“呼吸”を増進し得るからである。
本発明に係る上記オストミ用受容バッグはオストミ用身体側部材(二部材式器具)と共に使用可能とされてもよく、その場合に上記受容バッグは上記オストミ用身体側部材上に載置された整合連結手段に対して着脱自在に固定される連結手段を備え、且つ、上記取入開口はストーマを受容するオストミ用身体側部材の孔と整列されるようになっている。
本発明に係る上記オストミ用受容バッグは代替策として直接的な使用(単一部材式器具)に対して適合され得るが、その場合に該バッグはユーザの皮膚に対して該受容バッグを固定するための接着用薄板を備え、該バッグおよび薄板はストーマを受容する取入開口を有する。
上記周縁部に沿い相互にシールされると共に取入開口を備えた前壁および後壁を備えた上記受容バッグ自体は、オストミ器具の作製のために従来的に用いられる材料と同様にして斯かる材料から作成され得る。
本発明に係るオストミ用受容バッグと共に用いられるオストミ用身体側部材は、オストミ用、創傷用および失禁用の使い捨てデバイスの作製のために通常的に用いられる標準材料から製造され得る。




【国際調査報告】
2004528949.tif 000018
2004528949.tif 000019